(57)【要約】【課題】  紙や薄い板状の金属素材などの耐久性に乏しい素材を用いて、構造的な強度を高めた眼鏡ケースを提供する。【解決手段】  直方体の箱構造の底面部において、通常は１本の折り目からなる梁を２本の円弧状の折り目からなる梁で形成することによって、眼鏡ケースの上部からかかる負荷を効果的に分散して、眼鏡ケースの構造的な強度を高めている。また、通常は底面部において各々の頂点から各１本が垂直方向に形成される柱についても、底面部の各々の頂点から２以上の複数の柱を形成することによって、１本の柱にかかる荷重を多方面に分散させて柱にかかる負荷を軽減している。【選択図】        図１
2006081857.tif 000002
【特許請求の範囲】
【請求項１】
紙や薄い板状の金属素材などの耐久性に乏しい素材を用いて、箱構造に形成された一対の蓋体を接合した眼鏡ケースであって、前記蓋体の底面部の長辺にあたる梁は、二対の円弧状の折り目からなる４本の梁で構成されていることを特徴とする眼鏡ケース。
【請求項２】
前記蓋体の底面部の短辺にあたる梁を、二対の円弧状の折り目からなる４本の梁で構成することを特徴とする請求項１記載の眼鏡ケース。
【請求項３】
前記蓋体の底面部の長辺の両端に位置する４つの頂点には、各々の頂点を接点とする少なくとも２本の折り目からなる柱が形成されていることを特徴とする請求項１又は２記載の眼鏡ケース。
【請求項４】
前記蓋体の内部には、透明ポリウレタンフィルムが中空構造で貼付されていることを特徴とする請求項１乃至３いずれかに記載の眼鏡ケース。
【発明の詳細な説明】
【技術分野】
【０００１】
本発明は、紙や薄い板状の金属素材などの耐久性に乏しい素材を用いて、構造的に強度を高めた眼鏡ケースに関するものである。
【背景技術】
【０００２】
眼鏡やサングラスなどを格納するための眼鏡ケースには、持ち運び時に外部から加わる衝撃等に耐えることができるように、プラスティックなど一定の耐久性と強度を備えた素材が用いられることが一般的である。
【０００３】
眼鏡ケースの素材にプラスティックを用いる場合、プラスティックをインジェクション成形するか、金属プレート型押しなどによって眼鏡ケースの成形が行われる。また、眼鏡ケースに装飾を施すためのプラスティック塗装は、ブラスター塗装、下地塗装、本塗り、コーティング塗装などの工程により行われている。
【０００４】
尚、本願発明のように、紙や薄い板状の金属素材などの耐久性に乏しい素材を用いた眼鏡ケースについて、出願人は関連する先行技術文献を把握していないが、簡易な構造からなる安価な眼鏡ケースとして、３枚以上のプレート片を組み合わせた眼鏡ケースに関する考案が開示されている（特許文献１参照。）。
【０００５】
【特許文献１】登録実用新案公報第３０５６３０３号
【発明の開示】
【発明が解決しようとする課題】
【０００６】
眼鏡ケースの素材としてのプラスティックは、耐久性と強度の点においては優れているものの、上記のような成形を行うためには型を作成することが必要になり、型代にかかる負担が重くなりやすい。型代が高価であると小ロット生産が困難になるため、その結果、消費者ニーズに沿ったタイムリーな眼鏡ケースの提供に支障をきたしやすいという問題を生じさせている。
【０００７】
また、上記のように装飾には様々な工程が必要となり、多大な費用と労力を要することとなるため、コストや時間の制約から装飾における表現の自由度は狭められ、多様なデザインの眼鏡ケースを提供できないという限界が生じている。また、素材自体のコストが重くなり、結果的に眼鏡ケースが高価になってしまうという問題もある。
【０００８】
これに対して、例えば紙のように軽く、加工が容易な素材を眼鏡ケースに用いることができれば、これらの問題を解消できる可能性がある。眼鏡ケースの素材に紙を使用すると、軽量であり（０．５ｇ／立方ｃｍ  プラスティックは１．２ｇ／立方ｃｍ）、抜き型の型代が安く（３，０００〜５，０００円／１型  プラスティックは５０，０００〜１，０００，０００円／１型）、素材代も安いというメリットがある。また、特に紙を用いる場合には、装飾や彩色性についても直接印刷することが可能なので、塗装を必要とするプラスティックに比べて自由度が高いというメリットもある。
【０００９】
しかしながら、眼鏡ケースの素材として紙を使用すると、耐久性や強度、高度などの点で、プラスティックとの差が大きく、実用性に欠けるという問題が生じる。耐久性や強度を高めるために、紙を厚くしたり、他の素材等を用いて補強を加えたりすると、今度は同レベルのプラスティックに比べて結果的に重くなってしまうこともある。
【００１０】
本発明は、このような課題を解決するためになされたものであり、紙や薄い板状の金属素材などの耐久性に乏しい素材を用いて、構造的な強度を高めた眼鏡ケースを提供することを目的とするものである。
【課題を解決するための手段】
【００１１】
かかる課題を解決する本発明は、紙や薄い板状の金属素材などの耐久性に乏しい素材を用いて、箱構造に形成された一対の蓋体を接合した眼鏡ケースであって、前記蓋体の底面部の長辺にあたる梁は、二対の円弧状の折り目からなる４本の梁で構成されていることを特徴とする眼鏡ケースである。
【００１２】
このように、本発明においては、直方体の箱構造の底面部の長辺側においては通常は２本の折り目からなる梁を、４本の折り目からなる梁とすることで、眼鏡ケースにかかる負荷を効果的に分散して、眼鏡ケースの構造的な強度を高めることとしている。また、４本の折り目からなる梁は、２本ずつで一対となる円弧状の折り目を形成することによって、構造的な強度を強化しながら、デザイン性にも優れた眼鏡ケースを実現している。
【００１３】
また、本発明は、前記蓋体の底面部の短辺にあたる梁を、二対の円弧状の折り目からなる４本の梁で構成することを特徴とすることもできる。
【００１４】
眼鏡ケースの構造的な強度を高めるためには、底面部においてより強い負荷がかかる長辺の梁の構造を強化することが第一であるが、短辺側に位置する梁についても同様の構造を形成することによって、より強度の高い眼鏡ケースを実現することができる。デザイン面を考慮すると、短辺側に位置する梁についても長辺側の梁と同様に、２本ずつで一対となる円弧状の折り目を形成することが好ましい。
【００１５】
さらに、本発明は、前記蓋体の底面部の長辺の両端に位置する４つの頂点には、各々の頂点を接点とする少なくとも２本の折り目からなる柱が形成されていることを特徴としてもよい。
【００１６】
眼鏡ケースの構造的な強度を高めるためには、梁のみでなく、箱構造であれば底面部から垂直方向に形成される柱についても、通常は１本の柱にかかる荷重を多方面に分散させて柱にかかる負担を軽減することができるように、底面部の各々の頂点において２以上の複数の柱を形成することが好ましい。
【００１７】
さらに、本発明は、前記蓋体の内部には、透明ポリウレタンフィルムが中空構造で貼付されていることを特徴としてもよい。
【００１８】
本発明は、眼鏡ケースに対して主として外部にかかる荷重に耐え得る構造を備えることを目的とするものであるが、実際に使用する場合には、眼鏡ケース内部に格納した眼鏡の揺れ等によって、内部からの荷重や衝撃で眼鏡ケースが損傷する場合もある。そこで、この構成では、伸縮性を備えたポリウレタンフィルムを内部のクッションとして用いることにより、内部からの衝撃にも耐え得る構造を実現している。
【発明の効果】
【００１９】
本発明によって、紙や薄い板状の金属素材などの耐久性に乏しい素材を用いても、構造的な強度が強化されて実用性を備えた眼鏡ケースを提供することが可能になる。眼鏡ケースに紙などの素材を用いると、型代や材料などのコストが削減されて安価な眼鏡ケースの提供が可能になるとともに、小ロット生産が可能になるため、消費者ニーズに合せてタイムリーに新商品を提供することが可能になる。また、印刷等が可能になることで装飾の自由度が高まり、デザイン性に優れた眼鏡ケースを提供することが可能になる。
【発明を実施するための最良の形態】
【００２０】
本発明を実施するための最良の形態について、図面を用いて以下に詳細に説明する。尚、以下の実施形態や実施例は、本発明を実施する場合の一例を示したものであって、本発明の構成はかかる実施形態や実施例に限定されるものではない。
【００２１】
図１は、本発明にかかる眼鏡ケースの斜視図で、図２は、眼鏡ケースに眼鏡が格納されて開蓋した状態を示している。図３〜図６は、本発明にかかる眼鏡ケースのそれぞれ正面図（背面図も同じ）、平面図（底面図も同じ）、側面図（左右ともに同じ）、展開図である。
【００２２】
本発明にかかる眼鏡ケースは、紙や薄い板状の金属素材などの耐久性に乏しい素材を用いて、図１の斜視図に示すように、箱構造に形成された一対の蓋体２及び３を接合した眼鏡ケース１となっている。蓋体２及び３の接合部の長辺には、持ち運び時や開閉時の利便性を考慮して、指を掛けるための凹陥部４及び５が設けられている。
【００２３】
眼鏡６が格納された眼鏡ケース１を開蓋した状態が、図２の斜視図である。蓋体２及び３は、開閉可能なように蝶番７で接合されている。蓋体２及び３の内側には、透明ポリウレタンフィルム２ａ及び３ａが中空構造で貼られている。ポリウレタンフィルムは、約５００倍の伸縮率を持つフィルムであって、破れにくいために眼鏡を中空で支えて、振動や外部からの衝撃などで眼鏡が破損したり、眼鏡が衝突して眼鏡ケース１に損傷を加えたりすることを防止する役割を果たしている。尚、ポリウレタンフィルムは熱可塑性を備えているため、フィルムが伸びてしまった後であっても、ドライヤーなどで熱を加えることによって、容易に張りを戻すことができる。
【００２４】
図３は、眼鏡ケース１の正面図で、背面図についても同じ形状となる。蓋体２と蓋体３の接合部には凹陥部４及び５が設けられ、正面の凹陥部と背面の凹陥部に指を掛けることによって、眼鏡ケース１の持ち運びが容易になる。
【００２５】
図４は、眼鏡ケース１の平面図で、底面図についても同じ形状となる。梁９ａ、梁１１ａ、梁１３ａ、梁１５ａにより形成される底面は、通常の直方体の箱構造であれば長方形となって各辺は直線状に形成されるのに対して、眼鏡ケース１ではいずれも円弧状の曲線となっている。また、梁９ａと梁８ａ、梁１１ａと梁１０ａ、梁１３ａと梁１２ａ、梁１５ａと梁１４ａがそれぞれ対となって円弧により囲まれた面を形成することにより、１の梁にかかる荷重が分散されることによって、眼鏡ケース１の底面部の強度が高められる。また、円弧状の曲線から形成される面による多面構造を備えることにより、単純な直方体の箱構造に比べて、デザイン性にも優れた眼鏡ケースを提供することが可能になる。
【００２６】
尚、梁にかかる荷重を分散して眼鏡ケース１の底面部の強度を高めるためには、底面の長辺側となる梁９ａと梁８ａ、梁１１ａと梁１０ａについては少なくとも図４に示した形状を構成することが必要である。梁１３ａと梁１２ａ、梁１５ａと梁１４ａについては、直線状の１の梁によって代替することとしても通常の箱構造に比べて強度を高めることは可能であるが、より強度を強化するためには、図４に示したように梁１３ａと梁１２ａ、梁１５ａと梁１４ａについても同様の形状を構成することが好ましい。
【００２７】
図５は、眼鏡ケース１の側面図で、右側面図、左側面図のいずれも同じ形状となる。通常の直方体の箱構造であれば、１の蓋体について一つの長方形の側面を備え、側面の両端が２本の柱となって垂直方向の荷重を支えることになるが、眼鏡ケース１では例えば蓋体２については、側面部１７ａ、側面部２０ａ、側面部２８ａの３つの側面が形成され、柱１６ａ、柱１８ａ、柱１９ａ、柱２１ａの４本の柱が、垂直方向の荷重を支えている。つまり、通常は１の柱で支える荷重を、底面との接点を共通にする２以上の柱（図５の例では、柱１６ａと柱１８ａ、柱１９ａと柱２１ａ、柱１６ａと柱１８ａ、柱１９ａと柱２１ａ）に分散することによって、荷重の影響を緩和することとしている。１の柱に対して分散させる柱の本数は２に限られるものではなく、底面との接点を共通にする３本、又はそれ以上の折り目からなる柱を形成することとしてもよい。
【００２８】
また、各々の蓋体の開口部には、側壁３０ａ及び３０ｂが設けられている。側面部の一辺が開口部を形成することとしてもよいが、蓋体の接触部の強度やデザイン性、蝶番の設置し易さを考慮すると、底面に対して垂直になる側壁３０ａ及び３０ｂが設けられることが好ましい。図５では、側壁３０ａ及び３０ｂが接触する部分の一方の端に蝶番７が設けられており、蓋体２及び３は蝶番７を支点に開閉が可能となっている。
【００２９】
図６は、本発明にかかる眼鏡ケースの展開図の一例である。図６の展開図は、図１〜図５の例とは異なり、底面の梁については、長辺のみが２本の折り目により形成された実施例となっている。この例のように、本発明にかかる眼鏡ケースは、一枚の紙型を切り抜き、折り目に沿って折り曲げることで容易に成形することが可能であり、プラスティックなど他の素材を用いる場合に比べて、製造コストを大幅に低減することが可能になる。
【００３０】
尚、図１〜図６に示した眼鏡ケースの実施形態においては、対になる梁（例えば、梁８ａと梁１０ａ、梁９ａと梁１１ａ）や柱（例えば、柱１６ａと柱１９ａ、柱１８ａと柱２１ａ）は左右対称になっているが、かかる梁と柱の対称性については、本発明において必須の構成要件ではない。但し、対称性を備えることによって、対称となる部位に関しては荷重が均等に分散されるため、負荷がかかった場合や長期間使用した場合においても同一の形状を維持しやすいというメリットに加えて、負荷を分散しやすい形状を決定するための構造計算も容易になるため、なるべく対称性を備えていることが好ましい。
【実施例】
【００３１】
図７〜図９は、本発明にかかる眼鏡ケースの実施例における、それぞれ正面図、平面図、側面図である。それぞれの図においては、各部位の長さをｍｍ単位で表示している。この実施例は、眼鏡ケースに一点又は複数点から荷重がかかった場合に、特定の部位に偏ることがないように荷重を分散させるために効果的な配置を算出して、梁と柱を配置した一例である。
【図面の簡単な説明】
【００３２】
【図１】本発明にかかる眼鏡ケースの斜視図である。
【図２】本発明にかかる眼鏡ケースに、眼鏡が格納されて開蓋した状態の斜視図である。
【図３】本発明にかかる眼鏡ケースの正面図である。
【図４】本発明にかかる眼鏡ケースの平面図である。
【図５】本発明にかかる眼鏡ケースの側面図である。
【図６】本発明にかかる眼鏡ケースの展開図である。
【図７】本発明にかかる眼鏡ケースの実施例における正面図である。
【図８】本発明にかかる眼鏡ケースの実施例における平面図である。
【図９】本発明にかかる眼鏡ケースの実施例における側面図である。
【符号の説明】
【００３３】
１      眼鏡ケース
２      蓋体
２ａ    透明ポリウレタンフィルム
３      蓋体
３ａ    透明ポリウレタンフィルム
４      凹陥部
５      凹陥部
６      眼鏡
７      蝶番
８ａ    梁
８ｂ    梁
９ａ    梁
９ｂ    梁
１０ａ  梁
１０ｂ  梁
１１ａ  梁
１１ｂ  梁
１２ａ  梁
１２ｂ  梁
１３ａ  梁
１３ｂ  梁
１４ａ  梁
１４ｂ  梁
１５ａ  梁
１５ｂ  梁
１６ａ  柱
１６ｂ  柱
１７ａ  側面部
１７ｂ  側面部
１８ａ  柱
１８ｂ  柱
１９ａ  柱
１９ｂ  柱
２０ａ  側面部
２０ｂ  側面部
２１ａ  柱
２１ｂ  柱
２２ａ  柱
２２ｂ  柱
２３ａ  側面部
２３ｂ  側面部
２４ａ  柱
２４ｂ  柱
２５ａ  柱
２５ｂ  柱
２６ａ  側面部
２６ｂ  側面部
２７ａ  柱
２７ｂ  柱
２８ａ  側面部
２８ｂ  側面部
２９ａ  側面部
２９ｂ  側面部
３０ａ  側壁
３０ｂ  側壁
【図１】
2006081857.tif 000003
【図２】
2006081857.tif 000004
【図３】
2006081857.tif 000005
【図４】
2006081857.tif 000006
【図５】
2006081857.tif 000007
【図６】
2006081857.tif 000008
【図７】
2006081857.tif 000009
【図８】
2006081857.tif 000010
【図９】
2006081857.tif 000011